(57)【要約】  【課題】平行リンクの動作でキャブを昇降可能にした発電機搭載作業車両において、作業中に発電機が他物に接触して破損することを防止する。  【解決手段】下部走行体１１上に旋回機構１２を介して上部旋回体１３を旋回自在に載置し、上部旋回体１３に立設した支持ブラケット１４に平行リンク１５を介してキャブ１６を昇降可能に取り付ける。そして、支持ブラケット１４の基部内側に発電機３０を搭載する。【選択図】図１
2006321649.tif 000002
【特許請求の範囲】
【請求項１】
下部走行体上に上部旋回体を旋回自在に載置し、該上部旋回体に立設した支持ブラケットに平行リンクを介してキャブを昇降可能に取り付けた作業機械において、
前記支持ブラケットの基部内側に発電機を搭載したことを特徴とする発電機搭載作業機械。
【請求項２】
上記平行リンクは、上記支持ブラケットと、上記キャブを取り付けた接続ブラケットと、該接続ブラケットと支持ブラケット間に並設した一対のリンクとからなり、前記接続ブラケットが水平状態を保持したまま上下動するように構成されたことを特徴とする請求項１記載の発電機搭載作業機械。
【請求項３】
上記平行リンクを駆動する油圧シリンダは、上記支持ブラケットと上記接続ブラケットとの間に接続されたことを特徴とする請求項１または２記載の発電機搭載作業機械。
【発明の詳細な説明】
【技術分野】
【０００１】
本発明は発電機搭載作業機械に関するものであり、特に、上部旋回体に立設した支持ブラケットに平行リンクを介してキャブを昇降可能に取り付けた作業機械に搭載される発電機の設置場所に関するものである。
【背景技術】
【０００２】
従来、下部走行体上に上部旋回体を旋回自在に載置し、該上部旋回体に第１平行リンクと、該第１平行リンクに取り付けられる第２平行リンクを介してキャブを昇降可能に取り付けた作業機械が知られている（例えば、特許文献１参照）。
【０００３】
そして、上記作業機械の上部旋回体には、油圧シリンダの駆動で上下回動するブームやアームなどの作業用フロントが取り付けられ、その先端に電磁石を有するリフティングマグネットが装着されている。該リフティングマグネットは上部旋回体に搭載した油圧式の発電機により電力が供給される。
【０００４】
一般に此種発電機は、工具箱付近などの空きスペースを利用して車体の外側端部に搭載されることが多く、例えばキャブ側方部のステップ上に露出して取り付けられ、該発電機から供給される電力で水銀灯などを点灯する構成が知られている（例えば、特許文献２参照）。
【０００５】
また、本願出願人は、下部走行体上に上部旋回体を旋回自在に搭載し、該上部旋回体に縦長の平行リンク支持ブラケットを立設し、該平行リンク支持ブラケットの上端部に、上下一対のリンク部材を有するキャブ上昇用平行リンクを上下方向へ回動自在に枢着し、前記上下一対のリンク部材の先端部同士を縦リンク部材で枢結するとともに、該縦リンク部材に接続ブラケットを略水平に固設し、さらに、該接続ブラケット上に、前後一対のリンク部材を有するキャブ張出し用平行リンクを前後方向へ回動自在に枢着し、該前後一対のリンク部材の上端部同士を架台兼用水平リンク部材で枢結するとともに、該架台兼用水平リンク部材上にキャブが搭載され、該キャブは、前記キャブ上昇用平行リンクが収納時の下傾姿勢から上傾姿勢に向かって上方回動するに伴って上昇し、前記キャブ張出し用平行リンクが収納時の後傾姿勢から前傾姿勢に向かって前方回動するに伴って張り出されるように構成したキャブ上昇装置を提案している（特願２００４−１８９８３３号）。
【特許文献１】特開２００１−２６０９５２号公報
【特許文献２】特開平１１−３４３９８０号公報
【発明の開示】
【発明が解決しようとする課題】
【０００６】
特許文献１記載の発明は、キャブと第１平行リンクとの間に第２平行リンクが格納されるため、この格納の分だけ上部旋回体とキャブとの距離（旋回半径）が大となる。したがって、作業機械の全長も長くなるので、該作業機械をトラックなどによって輸送する際に輸送作業性が悪化する。
【０００７】
特許文献２記載の発明は、発電機が車体の外側端部であるキャブ側方部のステップ上に露出して取り付けられているため、車体の旋回時に周囲の他物に接触して破損するおそれがある。然るときは、発電機が故障して電力の供給が絶たれるので、例えばリフティングマグネットで作業している場合は、電磁石の吸着力がなくなり吊荷が落下してきわめて危険である。
【０００８】
本願出願人が提案しているキャブ上昇装置（特願２００４−１８９８３３）は、特許文献１記載の発明の不具合を解消して、キャブ収納時の作業機械の全長が短くなり、作業機械の輸送効率を向上することができる。しかし、発電機を搭載することについては開示されていない。
【０００９】
そこで、平行リンクの動作でキャブを昇降可能にした発電機搭載作業車両において、作業中に発電機が他物に接触して破損することを防止するために解決すべき技術的課題が生じてくるのであり、本発明はこの課題を解決することを目的とする。
【課題を解決するための手段】
【００１０】
本発明は上記目的を達成するために提案されたものであり、請求項１記載の発明は、下部走行体上に上部旋回体を旋回自在に載置し、該上部旋回体に立設した支持ブラケットに平行リンクを介してキャブを昇降可能に取り付けた作業機械において、前記支持ブラケットの基部内側に発電機を搭載したことを特徴とする発電機搭載作業機械を提供する。
【００１１】
この構成によれば、平行リンクを取り付けるための支持ブラケットの基部内側に発電機を搭載してあるので、該発電機は支持ブラケット内部に収納された状態となり、該発電機が車体の外部に露出しない。
【００１２】
請求項２記載の発明は、上記平行リンクは、上記支持ブラケットと、上記キャブを取り付けた接続ブラケットと、該接続ブラケットと支持ブラケット間に並設した一対のリンクとからなり、前記接続ブラケットが水平状態を保持したまま上下動するように構成されたことを特徴とする請求項１記載の発電機搭載作業機械を提供する。
【００１３】
この構成によれば、平行リンクが支持ブラケットと接続ブラケットとの間に並設した一対のリンクからなり、接続リンクが水平状態を保持したまま上下動するので、構成が簡単で収納時の前後長さが小となる。
【００１４】
請求項３記載の発明は、上記平行リンクを駆動する油圧シリンダは、上記支持ブラケットと上記接続ブラケットとの間に接続されたことを特徴とする請求項１または２記載の発電機搭載作業機械を提供する。
【００１５】
この構成によれば、平行リンクを駆動する油圧シリンダが支持ブラケットと接続ブラケットとの間に接続されているので、前記支持ブラケットの基部内側に空きスペースが生じる。
【発明の効果】
【００１６】
請求項１記載の発明は、平行リンクを取り付けるための支持ブラケットの基部内側に発電機を搭載してあるので、該発電機が車体の外部に露出することがなく、作業中に発電機が他物に接触して破損することを防止できる。したがって、例えばリフティングマグネットで作業している場合であっても、電磁石の吸着力が突然なくなることによる吊荷の落下を防止でき、安全性の向上に寄与できる。
【００１７】
請求項２記載の発明は、平行リンクが支持ブラケットと接続ブラケットとの間に並設した一対のリンクからなり、接続リンクが水平状態を保持したまま上下動するので、構成が簡単で収納時の前後長さが小となる。
【００１８】
請求項３記載の発明は、平行リンクを駆動する油圧シリンダが支持ブラケットと接続ブラケットとの間に接続されているので、本願出願人が提案したキャブ上昇装置と比べて、前記油圧シリンダが移設されたことにより、支持ブラケットの基部内側に空きスペースが生じ、この空きスペースに発電機を搭載することが可能となった。
【発明を実施するための最良の形態】
【００１９】
以下、本発明に係る発電機搭載作業機械について、好適な実施例をあげて説明する。平行リンクの動作でキャブを昇降可能にした発電機搭載作業車両において、作業中に発電機が他物に接触して破損することを防止するという目的を、下部走行体上に上部旋回体を旋回自在に載置し、該上部旋回体に立設した支持ブラケットに平行リンクを介してキャブを昇降可能に取り付けた作業機械において、前記支持ブラケットの基部内側に発電機を搭載したことにより実現した。
【実施例１】
【００２０】
図１および図２は発電機搭載作業機械の一例として油圧ショベル１０を示し、下部走行体１１の上に旋回機構１２を介して上部旋回体１３が旋回自在に載置されている。上部旋回体１３にはその前方一側部に支持ブラケット１４が立設され、該支持ブラケット１４にキャブ上昇用の平行リンク１５を介してキャブ１６が取り付けられている。後述するように、該支持ブラケット１４は左右側面部が所定の間隔を有しており、その基部内側に空きスペースを備えている。
【００２１】
また、上部旋回体１３の前方中央部にブーム１７が取り付けられており、該ブーム１７と上部旋回体１３との間に介装されたブームシリンダ１８の伸縮駆動で該ブーム１７が俯仰可能となっている。該ブーム１７の先端にアーム１９が取り付けられ、該アーム１９とブーム１７との間に介装されたアームシリンダ２０の伸縮駆動で該アーム１９が上下回動可能となっている。さらに、該アーム１９の先端にリフティングマグネット２１が取り付けられ、マグネットシリンダ２２の伸縮駆動で該リフティングマグネット２１の吸着姿勢が変更可能となっている。
【００２２】
前記キャブ１６の下部は接続ブラケット２３に固定されており、該接続ブラケット２３の左右両側の後端部から斜め後上方へステー２３ａ，２３ａが一体的に形成されて、該接続ブラケット２３は側面視逆Ｌ字形になっている。そして、接続ブラケットのステー２３ａ，２３ａの上端部と前記支持ブラケット１４の左右側面部の上端部との間に上側リンク１５ａ，１５ａが連結され、接続ブラケットのステー２３ａ，２３ａの下端部と前記支持ブラケット１４の左右側面部の上端部よりも下側の位置との間に下側リンク１５ｂ，１５ｂが連結されている。
【００２３】
さらに、前記支持ブラケット１４の下側リンク１５ｂの取り付け部分よりも下側の中間部に、平行リンク駆動用の油圧シリンダ２４の一端部が取り付けられ、該油圧シリンダ２４の他端部は前記接続ブラケットの後端部に接続されている。なお、前記平行リンク１５は、接続ブラケットの左右両側のステー２３ａ，２３ａにそれぞれ上側リンク１５ａ，１５ａと下側リンク１５ｂ，１５ｂとを連結してあり、平面視で左右の上側リンク１５ａ，１５ａならびに下側リンク１５ｂ，１５ｂが離間して配置されたその中央部位に前記油圧シリンダ２４が配置されている。
【００２４】
図１はキャブ１６が下降して収納された状態を示し、この状態で前記油圧シリンダ２４を伸長駆動すれば、接続ブラケット２３が前方へ押されて平行リンク１５が上方へ回動し、図２に示すように、接続ブラケット２３が水平状態を保持したまま上昇する。したがって、該接続ブラケット２３と一体に前記キャブ１６が高い位置へ上昇する。
【００２５】
ここで、平行リンクを駆動する前記油圧シリンダ２４の一端部が支持ブラケット１４の中間部に取り付けられているため、支持ブラケット１４の基部内側に空きスペースが生じ、この空きスペースには発電機３０が搭載されている。該発電機３０は油圧駆動式であるため、上部旋回体１３の後部に設置されたエンジン（図示せず）から離間した位置であっても、油圧装置からの圧油を供給できる箇所であれば該発電機３０を駆動することができる。
【００２６】
キャブ１６内に設けられている操作装置の操作により、発電機３０で発電した電力が前記リフティングマグネット２１に供給されると、該リフティングマグネット２１の電磁石が駆動されて鉄などの磁性材料を吸着することができる。そして、ブーム１７やアーム１９を操作してリフティングマグネット２１に吸着した鉄などの磁性材料を吊り上げ、旋回機構１２により上部旋回体１３を旋回させれば、リフティングマグネット２１に吸着した吊荷を他の場所へ移動することができる。
【００２７】
このように、本発明では、前記発電機３０を支持ブラケット１４の基部内側に搭載してあるので、該発電機３０が車体の外部に露出することがなく、作業中に発電機３０が他物に接触して破損することを防止できる。したがって、リフティングマグネット２１で作業している場合であっても、電磁石の吸着力が突然なくなることによる吊荷の落下を防止できる。また、平行リンク１５を駆動する油圧シリンダ２４が支持ブラケット１４の中間部に取り付けられているので、キャブ１６昇降させる際に油圧シリンダ２４が回動しても発電機３０に干渉するおそれがない。
【００２８】
なお、本発明は、本発明の精神を逸脱しない限り種々の改変を為すことができ、そして、本発明が該改変されたものに及ぶことは当然である。
【図面の簡単な説明】
【００２９】
【図１】本発明が適用された油圧ショベルのキャブが下降した状態の説明図。
【図２】本発明が適用された油圧ショベルのキャブが上昇した状態の説明図。
【符号の説明】
【００３０】
１０  油圧ショベル
１１  下部走行体
１２  旋回機構
１３  上部旋回体
１４  支持ブラケット
１５  平行リンク
１５ａ  上側リンク
１５ｂ  下側リンク
１６  キャブ
２１  リフティングマグネット
２３  接続ブラケット
２３ａ  ステー
２４  油圧シリンダ
３０  発電機 
【図１】
2006321649.tif 000003
【図２】
2006321649.tif 000004